(57)【要約】      （修正有）【課題】複数のドメインを有する液晶表示装置の位置に応じて液晶分子の不規則な動き及び応答速度の低下を防いで、表示品質の低下を防ぐ液晶表示装置を提供する。【解決手段】複数の画素、前記複数の画素に接続されているゲート駆動部及びデータ駆動部、そして前記データ駆動部に接続されている補償制御部を含み、前記複数の画素は第１の基板上に形成されており、第１のドメイン分割手段を有する複数の画素電極１９１、前期第１の基板と向かい合う第２の基板上に形成されており、第２のドメイン分割手段を有する共通電極２７０を含み、同一平面で見た時、前記第１のドメイン分割手段と前記第２のドメイン分割手段との間の間隔は位置により異なり、前記補償制御部は前記第１のドメイン分割手段と前記第２のドメイン分割手段との間の前記間隔にに応じて、それぞれ異なる補償電圧を、前記複数の画素に伝達する。【選択図】図７Ｂ
2016212408.tif 000002
【特許請求の範囲】
【請求項１】
複数の画素と、
前記複数の画素に接続されるゲート駆動部及びデータ駆動部と、
前記データ駆動部に接続される補償制御部と、
を備え、
前記複数の画素は、
第１の基板の上に形成され、第１のドメイン分割手段を有する複数の画素電極と、
前記第１の基板と向かい合う第２の基板の上に形成され、第２のドメイン分割手段を有する共通電極と、を備え、
同一平面上でみたとき、前記第１のドメイン分割手段と前記第２のドメイン分割手段との間の間隔は位置に応じて異なり、
前記補償制御部は、前記第１のドメイン分割手段と前記第２のドメイン分割手段との間の前記間隔に応じて異なる補償電圧を前記複数の画素に伝達することを特徴とする液晶表示装置。
【請求項２】
前記液晶表示装置は、曲面化されていることを特徴とする請求項１に記載の液晶表示装置。
【請求項３】
前記画素電極の前記第１のドメイン分割手段は、前記画素電極に形成される複数の第１の切欠部であり、
前記第２の共通電極の前記第２のドメイン分割手段は、前記共通電極に形成される複数の第２の切欠部であり、
前記第１のドメイン分割手段と前記第２のドメイン分割手段との間の前記間隔は、前記第１の切欠部と前記第２の切欠部との間の最大の間隔であることを特徴とする請求項２に記載の液晶表示装置。
【請求項４】
前記第１のドメイン分割手段と前記第２のドメイン分割手段との間の前記間隔が大きくなればなるほど、輝度階調値に対応する階調電圧に加算して各画素に伝達される前記補償電圧の大きさは大きく、
前記第１のドメイン分割手段と前記第２のドメイン分割手段との間の前記間隔が５μｍ大きくなるにつれて、前記補償電圧の大きさは０．３Ｖ〜０．４Ｖ大きくなり、
前記第１のドメイン分割手段と前記第２のドメイン分割手段との間の前記間隔が２０μｍである場合、前記補償電圧の大きさは１．５Ｖであり、
前記第１のドメイン分割手段と前記第２のドメイン分割手段との間の前記間隔が２５μｍである場合、前記補償電圧の大きさは１．８Ｖ〜１．９Ｖであり、
前記第１のドメイン分割手段と前記第２のドメイン分割手段との間の前記間隔が３０μｍである場合、前記補償電圧の大きさは２．１Ｖ〜２．２Ｖであり、
前記第１のドメイン分割手段と前記第２のドメイン分割手段との間の前記間隔が３５μｍである場合、前記補償電圧の大きさは２．４Ｖ〜２．５Ｖであることを特徴とする請求項３に記載の液晶表示装置。
【請求項５】
前記補償制御部は、前記複数の画素、または複数の画素グループについて、それぞれの位置に応じて補償の要否を判断する補償判断部と、
前記補償電圧の値が保存されているルックアップテーブルとを備えることを特徴とする請求項４に記載の液晶表示装置。
【請求項６】
前記補償制御部は、前記複数の画素、または複数の画素グループについて、それぞれの位置に応じて補償の要否を判断する補償判断部と、
前記補償電圧の値が保存されているルックアップテーブルと、
前記ルックアップテーブルから前記補償電圧の値を読み込んで前記複数の画素または画素グループの位置に応じて前記補償電圧の値を計算する計算部と、を備え、
前記計算部は、前記ルックアップテーブルに保存されている前記第１のドメイン分割手段と前記第２のドメイン分割手段との間の前記間隔についての２つの値と、前記間隔についての前記２つの値に応じた２つの前記補償電圧の大きさとを用いて、１次関数を求め、前記１次関数を用いて、前記複数の画素の前記第１のドメイン分割手段と前記第２のドメイン分割手段との間の前記間隔による前記補償電圧の値を算出することを特徴とする請求項４に記載の液晶表示装置。
【請求項７】
前記第１の基板と前記第２の基板との間に注入されている液晶層を備え、
前記液晶層の液晶分子は、前記液晶層に電場が加えられていない場合、前記第１の基板及び前記第２の基板の表面と略垂直をなすように配列されていることを特徴とする請求項４に記載の液晶表示装置。
【請求項８】
前記画素電極は、板状部分と、前記板状部分から延出する複数の枝電極と、を備え、
前記共通電極は、前記画素電極の前記板状部分と重なり合う十字状の切欠部を有し、
前記第１のドメイン分割手段と前記第２のドメイン分割手段との間の前記間隔は、前記共通電極の前記十字状の切欠部の中心部分と前記画素電極の前記板状部分の周縁との間の最大の間隔であることを特徴とする請求項２に記載の液晶表示装置。
【請求項９】
前記第１のドメイン分割手段と前記第２のドメイン分割手段との間の前記間隔が大きくなればなるほど、輝度階調値に対応する階調電圧に加算して各画素に伝達される前記補償電圧の大きさは大きく、
前記第１のドメイン分割手段と前記第２のドメイン分割手段との間の前記間隔が５μｍ大きくなるにつれて、前記補償電圧の大きさは０．３Ｖ〜０．４Ｖ大きくなり、
前記第１のドメイン分割手段と前記第２のドメイン分割手段との間の前記間隔が２０μｍである場合、前記補償電圧の大きさは１．５Ｖであり、
前記第１のドメイン分割手段と前記第２のドメイン分割手段との間の前記間隔が２５μｍである場合、前記補償電圧の大きさは１．８Ｖ〜１．９Ｖであり、
前記第１のドメイン分割手段と前記第２のドメイン分割手段との間の前記間隔が３０μｍである場合、前記補償電圧の大きさは２．１Ｖ〜２．２Ｖであり、
前記第１のドメイン分割手段と前記第２のドメイン分割手段との間の前記間隔が３５μｍである場合、前記補償電圧の大きさは２．４Ｖ〜２．５Ｖであることを特徴とする請求項８に記載の液晶表示装置。
【請求項１０】
前記補償制御部は、前記複数の画素、または複数の画素グループについて、それぞれの位置に応じて補償の要否を判断する補償判断部と、
前記補償電圧の値が保存されているルックアップテーブルと、
前記ルックアップテーブルから前記補償電圧の値を読み込んで前記複数の画素または画素グループの位置に応じて前記補償電圧の値を計算する計算部と、を備え、
前記計算部は、前記ルックアップテーブルに保存されている前記第１のドメイン分割手段と前記第２のドメイン分割手段との間の前記間隔についての２つの値と、前記間隔についての前記２つの値に応じた２つの前記補償電圧の大きさとを用いて、１次関数を求め、前記１次関数を用いて、前記複数の画素の前記第１のドメイン分割手段と前記第２のドメイン分割手段との間の前記間隔による前記補償電圧の値を算出することを特徴とする請求項９に記載の液晶表示装置。
【発明の詳細な説明】
【技術分野】
【０００１】
本発明は、液晶表示装置に関する。
【背景技術】
【０００２】
液晶表示装置は、現在最も幅広く用いられている平板表示装置（flat panel display）の１つであり、画素電極と共通電極など電場生成電極（ｆｉｅｌｄ ｇｅｎｅｒａｔｉｎｇ ｅｌｅｃｔｒｏｄｅ）が形成されている２枚のパネルと、これらの間に挟持されている液晶層と、を備える。液晶表示装置は、電場生成電極に電圧を印加して液晶層に電場を生成し、これにより液晶層の液晶分子の方向を決定し、入射光の偏光を制御することにより映像を表示する。
【０００３】
液晶表示装置の中でも、電場が印加されていない状態で液晶分子をその長軸がパネルに対して垂直をなすように配列した垂直配向方式（ｖｅｒｔｉｃａｌｌｙ ａｌｉｇｎｅｄ ｍｏｄｅ）の液晶表示装置は、コントラスト比が大きく、しかも、基準視野角（１：１０のコントラスト比を基準にする視野角、または、入力信号の大小と画面の明暗が対応しなくなる階調間輝度反転の限界角度で定義される視野角）が広いことから、脚光を浴びている。
【０００４】
このような垂直配向方式の液晶表示装置においては、広視野角を確保するために、１つの画素に液晶の配向方向が異なる複数のドメインを形成するなどの方法を用いる。
このように、複数のドメインを形成する手段の一例としては、電場生成電極にスリットなどの切欠部を形成してドメイン分割手段として用いるなどの方法が挙げられる。この方法によれば、切欠部の周縁と、これと向かい合う電場生成電極との間に形成されるフリンジフィールドにより液晶が再配列されることにより、複数のドメインが形成される。
【０００５】
このように、電場生成電極に切欠部などのドメイン分割手段を形成するとき、相対向する電場生成電極の間にミスアライメントが発生すると、ドメイン分割手段間の間隔が変わり、これにより、ドメイン内の液晶分子の応答速度が変わる虞がある。
【０００６】
ドメインの位置に応じて液晶分子の応答速度が変わると、表示装置の表示品質が低下する虞がある。
【発明の概要】
【発明が解決しようとする課題】
【０００７】
本発明は、上記従来技術に鑑みてなされたものであって、本発明の目的は、複数のドメインを有する液晶表示装置の位置に応じて液晶分子の不規則な動き及び応答速度の低下を防いで、表示品質の低下を防ぐ液晶表示装置を提供することにある。
【課題を解決するための手段】
【０００８】
上記目的を達成するためになされた本発明の一実施形態による液晶表示装置は、複数の画素と、前記複数の画素に接続されるゲート駆動部及びデータ駆動部と、前記データ駆動部に接続される補償制御部と、を備え、前記複数の画素は、第１の基板の上に形成され、第１のドメイン分割手段を有する複数の画素電極と、前記第１の基板と向かい合う第２の基板の上に形成され、第２のドメイン分割手段を有する共通電極と、を備え、同一平面上でみたとき（すなわち、平面図において）、前記第１のドメイン分割手段と前記第２のドメイン分割手段との間の間隔は、位置に応じて異なり、前記補償制御部は、前記第１のドメイン分割手段と前記第２のドメイン分割手段との間の前記間隔に応じて異なる補償電圧を前記複数の画素に伝達する。
【０００９】
好ましくは、前記液晶表示装置は、曲面化される。
また、好ましくは、前記画素電極の前記第１のドメイン分割手段は、前記画素電極に形成される複数の第１の切欠部であり、前記第２の共通電極の前記第２のドメイン分割手段は、前記共通電極に形成される複数の第２の切欠部であり、前記第１のドメイン分割手段と前記第２のドメイン分割手段との間の前記間隔は、前記第１の切欠部と前記第２の切欠部との間の最大の間隔である。
【００１０】
更に、好ましくは、前記画素電極は、板状部分（切欠部や枝部を実質上、有さない領域）と、前記板状部分から延出する複数の枝電極と、を備え、前記共通電極は、前記画素電極の前記板状部分と重なり合う十字状の切欠部を有し、前記第１のドメイン分割手段と前記第２のドメイン分割手段との間の前記間隔は、前記共通電極における前記十字状の切欠部の中心部分と、前記画素電極における前記板状部分の周縁との間の最大の間隔である。
【００１１】
更にまた、前記補償電圧は、前記複数の画素へと、それぞれ、輝度階調値に対応する階調電圧（誤整列が発生しない画素に印加される階調電圧、以下「目標の階調電圧」という）に加算して印加されるものであり、好ましくは、前記第１のドメイン分割手段と前記第２のドメイン分割手段との間の前記間隔が大きくなればなるほど、前記補償電圧は大きくなる。
【００１２】
更にまた、好ましくは、前記第１のドメイン分割手段と前記第２のドメイン分割手段との間の前記間隔が約５μｍ大きくなるにつれて、前記補償電圧は約０．３Ｖ〜約０．４Ｖ大きくなる。
【００１３】
更にまた、好ましくは、前記第１のドメイン分割手段と前記第２のドメイン分割手段との間の前記間隔が約２０μｍである場合、前記補償電圧は約１．５Ｖであり、前記第１のドメイン分割手段と前記第２のドメイン分割手段との間の前記間隔が約２５μｍである場合、前記補償電圧は約１．８Ｖ〜１．９Ｖであり、前記第１のドメイン分割手段と前記第２のドメイン分割手段との間の前記間隔が約３０μｍである場合、前記補償電圧は約２．１Ｖ〜２．２Ｖであり、前記第１のドメイン分割手段と前記第２のドメイン分割手段との間の前記間隔が約３５μｍである場合、前記補償電圧は約２．４Ｖ〜２．５Ｖである。
【００１４】
更にまた、好ましくは、前記補償制御部は、前記複数の画素のそれぞれ、または複数の画素グループのそれぞれについて、その位置に応じて補償の要否を判断する補償判断部と、前記補償電圧の値が保存されるルックアップテーブルと、を備える。
【００１５】
更にまた、好ましくは、前記補償制御部は、前記複数の画素の位置に応じて補償の要否を判断する補償判断部と、前記補償電圧の値が保存されるルックアップテーブルと、前記ルックアップテーブルから前記補償電圧の値を読み込んで前記複数の画素の位置に応じて前記補償電圧の値を計算する計算部と、を備える。
【００１６】
更にまた、好ましくは、前記計算部は、前記ルックアップテーブルに保存されている前記第１のドメイン分割手段と前記第２のドメイン分割手段との間の前記間隔についての２つの値と、前記間隔についての前記２つの値に応じた２つの前記補償電圧の値と、を用いて１次関数を求め、前記１次関数を用いて、前記複数の画素の前記第１のドメイン分割手段と前記第２のドメイン分割手段との間での前記間隔による前記補償電圧の値を算出する。
【００１７】
更にまた、好ましくは、前記液晶表示装置は、前記第１の基板と前記第２の基板との間に注入される液晶層を備え、前記液晶層の液晶分子は、前記液晶層に電場が加えられていない場合、前記第１の基板及び前記第２の基板の表面と略垂直をなすように配列される。
【発明の効果】
【００１８】
本発明の実施形態による液晶表示装置によれば、複数のドメインを有する液晶表示装置の位置に応じて液晶分子の不規則な動き及び応答速度の低下を防いで、表示品質の低下を防ぐことができる。
【図面の簡単な説明】
【００１９】
【図１】本発明の一実施形態による液晶表示装置のブロック図である。
【図２】本発明の一実施形態による液晶表示装置の構造及び２つの副画素に対する等価回路を概略的に示す図である。
【図３】本発明の一実施形態による液晶表示装置の１画素についての等価回路図である。
【図４】本発明の一実施形態による液晶表示装置の１画素についての配置構成を示す平面図である。
【図５】図４の液晶表示装置をＶ−Ｖ線に沿って切断した垂直方向の断面図である。
【図６Ａ】本発明の一実施形態による液晶表示装置について、曲面化した際の様子を模式的に示す簡略化した断面図である。
【図６Ｂ】本発明の一実施形態による液晶表示装置について、曲面化の際の応力を模式的に示す簡略化した断面図である。
【図６Ｃ】本発明の一実施形態による液晶表示装置について、曲面化の際の誤整列の度合いにより領域分けした場合の各領域を示す平面図である。
【図７Ａ】本発明の一実施形態による液晶表示装置の動作を説明するための模式的な垂直断面図による概念図である。誤整列が発生していない場合について示す。
【図７Ｂ】図７Ａと同様の模式的な垂直断面図により、誤整列が発生している場合について示す。
【図７Ｃ】図７Ｂの一部分についての模式的な平面図である。
【図８Ａ】本発明の一実施形態による液晶表示装置の補償制御部のブロック図である。
【図８Ｂ】図８Ａの補償制御部の動作を説明する波形図である。
【図９Ａ】本発明のある実験例によるグラフである。１Ｖから約３Ｖまでの電圧を印加する場合について示す。
【図９Ｂ】図９Ａの一部の電圧領域を拡大して示すグラフである。
【図１０Ａ】本発明の他の一実施形態による液晶表示装置の補償制御部のブロック図である。
【図１０Ｂ】図１０Ａの補償制御部の動作を説明するグラフである。
【図１１】本発明の他の一実施形態による液晶表示装置の１画素についての配置構成を示す平面図である。
【図１２】図１１の液晶表示装置をＸＩＩ−ＸＩＩ線に沿って切断した断面図である。
【図１３Ａ】本発明の他の一実施形態による液晶表示装置の画素領域の基本領域を示す配置構成図（部分拡大平面図）であり、誤整列が発生していない場合について示す。
【図１３Ｂ】誤整列が発生している場合の、図１３Ａと同様の配置構成図である。
【図１４】本発明の一実施形態による液晶表示装置の１画素が備える２つの副画素を示す図である。
【図１５】本発明の実施形態による液晶表示装置の１画素に対する等価回路図である。
【図１６】本発明の実施形態による液晶表示装置の１画素に対する等価回路図である。
【図１７】本発明の実施形態による液晶表示装置の１画素に対する等価回路図である。
【図１８】本発明の実施形態による液晶表示装置の１画素に対する等価回路図である。
【発明を実施するための形態】
【００２０】
以下、添付図面に基づき、本発明の好適な実施形態について本発明が属する技術分野において通常の知識を有する者が実施できる程度に詳細に説明する。しかしながら、本発明は、様々な異なる形態により実現可能であり、ここで説明される実施形態に何ら限定されない。
【００２１】
図中、様々な層及び領域の厚さは、明確性を図るために誇張されている。明細書全体に亘って同じ部分に対しては同じ図面符号を付する。なお、層、膜、領域、板などの部分が他の部分の「上」にあるとしたとき、それは、他の部分の「真上」にある場合だけではなく、これらの間にさらに他の部分がある場合も含む。逆に、ある部分が他の部分の「直上」にあるとしたとき、これらの間に他の部分がないことを意味する。
【００２２】
まず、本発明の一実施形態による液晶表示装置について、図１から図３に基づいて詳細に説明する。
【００２３】
図１は、本発明の一実施形態による液晶表示装置のブロック図であり、図２は、本発明の一実施形態による液晶表示装置の構造、及び２つの副画素についての等価回路を概略的に示す模式的な斜視図であり、図３は、本発明の一実施形態による液晶表示装置の１画素についての等価回路図である。
【００２４】
図１に示すように、本発明の一実施形態による液晶表示装置は、液晶パネル組立体３００と、ゲート駆動部４００と、データ駆動部５００と、階調電圧生成部８００と、信号制御部６００及び補償制御部９００を備える。
【００２５】
液晶パネル組立体３００は、等価回路でみたとき、複数の信号線ＧＬａ、ＧＬｂ、ＤＬ、ＣＬ（図３参照）と、これらに接続され、略マトリックス状に配列される複数の画素ＰＸと、を備える。これに対し、図２に示す構造でみたとき、液晶パネル組立体３００は、相対向する第１のパネル１００及び第２のパネル２００と、これらの間に挟持される液晶層３と、を備える。
【００２６】
図３を参照すると、信号線は、ゲート信号（「走査信号」とも呼ばれる。）を送信する複数のゲート線ＧＬａ、ＧＬｂと、データ電圧Ｖｄを伝達する複数のデータ線ＤＬ、及び共通電圧Ｖｃｏｍを伝達する複数の容量電極線ＣＬを備える。複数のゲート線ＧＬａ、ＧＬｂ及び複数の容量電極線ＣＬは、概略、行方向に伸びて互いに略平行であり、複数のデータ線ＤＬは、概略、列方向に伸びて互いに略平行である。
【００２７】
本発明の実施形態による液晶パネル組立体は、複数の信号線と、これらに接続される複数の画素ＰＸと、を備える。
【００２８】
各画素ＰＸは一対の副画素を備え、各副画素は液晶キャパシタＣｌｃａ、Ｃｌｃｂを備える。２つの副画素は、ゲート線ＧＬａ、ＧＬｂと、データ線ＤＬ及び液晶キャパシタＣｌｃａ、Ｃｌｃｂと接続されるスイッチング素子Ｑａ、Ｑｂ、Ｑｃを備える。しかしながら、これとは異なり、本発明の他の一実施形態による液晶表示装置によれば、各画素ＰＸは１つの副画素のみを備えてもよい。
【００２９】
液晶キャパシタＣｌｃａ、Ｃｌｃｂは、第１のパネル１００の副画素電極ＰＥａ／ＰＥｂ、及び第２のパネル２００の共通電極ＣＥを、２つの端子としており、副画素電極ＰＥａ／ＰＥｂと共通電極２７０との間の液晶層３は、誘電体として働く。一対の副画素電極ＰＥａ／ＰＥｂは、互いに分離され、１つの画素電極ＰＥを構成する。共通電極ＣＥは第２のパネル２００の全面に形成され、この共通電極ＣＥに共通電圧Ｖｃｏｍが印加される。液晶層３は負の誘電率異方性を有し、液晶層３の液晶分子は、電場がない状態でその長軸が２枚のパネルの表面に対して垂直になるように配向される。図２とは異なり、共通電極ＣＥが第１のパネル１００に配設される場合もあり、このときには、２つの電極ＰＥ、ＣＥのうちの少なくとも一方が線状又は棒状に作製される。
【００３０】
一方、色表示を実現するためには、各画素ＰＸに基本色のうちの１つを固有に表示させたり（空間分割）、各画素ＰＸに経時的に且つ交互に基本色を表示させたり（時間分割）して、これらの基本色の空間的及び時間的な和を用いて所望の色を認識させる。基本色としては、赤色、緑色、青色などの三原色が挙げられる。本発明の一実施形態による液晶表示装置によると、空間分割の一例として、各画素ＰＸには、第１のパネル１００の副画素電極ＰＥａ、ＰＥｂの上又は下に形成されて、基本色のうちの１つを示すカラーフィルタが備えられる。しかしながら、本発明の他の一実施形態による液晶表示装置によると、第２のパネル２００の領域にカラーフィルタが形成されてもよい。
【００３１】
パネル１００、２００の外側の面には偏光子（図示せず）が配備されるが、２つの偏光子の偏光軸は直交するものであり得る。反射型液晶表示装置の場合には、２つの偏光子のうちの１つが省略されてもよい。直交偏光子である場合、電場のない液晶層３に入射する入射光を遮断する。
【００３２】
図１に戻ると、階調電圧生成部８００は、画素ＰＸの透過率に関する全体の階調電圧又は限られた数の階調電圧（以下、「基準階調電圧」と称する。）を生成する。基準階調電圧は、共通電圧Ｖｃｏｍに対して正の値を有するもの及び負の値を有するものを含み得る。
【００３３】
ゲート駆動部４００は、液晶パネル組立体３００のゲート線ＧＬａ、ＧＬｂと接続されてゲートオン電圧Ｖｏｎ及びゲートオフ電圧Ｖｏｆｆの組み合わせからなるゲート信号をゲート線ＧＬａ、ＧＬｂに印加する。
【００３４】
データ駆動部５００は、液晶パネル組立体３００のデータ線ＤＬと接続され、階調電圧生成部８００からの階調電圧を選択し、これをデータ電圧としてデータ線ＤＬに印加する。しかしながら、階調電圧生成部８００が階調電圧をいずれも提供するというわけではなく、限られた数の基準階調電圧のみを提供する場合、データ駆動部５００は、基準階調電圧を分圧して所望のデータ電圧を生成する。
【００３５】
補償制御部９００は、液晶表示装置の領域に応じて電圧の補償の要否を判断し、補償電圧をデータ駆動部５００に供給する。
【００３６】
信号制御部６００は、ゲート駆動部４００及びデータ駆動部５００などを制御する。
これらの駆動装置４００、５００、６００、８００、９００のそれぞれは、少なくとも一つの集積回路チップの形で液晶パネル組立体３００の上に直接的に取り付けられるか、或いは、フレキシブルプリント回路基板（図示せず）の上に取り付けられて、テープキャリアパッケージ（ＴＣＰ：ｔａｐｅ ｃａｒｒｉｅｒ ｐａｃｋａｇｅ）の形で液晶パネル組立体３００に貼着されるか、或いは、別途のプリント回路基板（図示せず）の上に取り付けられる。これとは異なり、これらの駆動装置４００、５００、６００、８００、９００が信号線ＧＬａ、ＧＬｂ、ＤＬ及び薄膜トランジスタスイッチング素子Ｑａ、Ｑｂ、Ｑｃなどとともに液晶パネル組立体３００に集積されてもよい。なお、駆動装置４００、５００、６００、８００、９００は、単一のチップとして集積されてもよく、この場合、これらのうちの少なくとも一つ又はこれらを構成する少なくとも一つの回路素子が、単一のチップの外側に存在するというのでもよい。
【００３７】
図３に戻ると、本発明の一実施形態による液晶表示装置は、隣り合う第１及び第２のゲート線ＧＬａ、ＧＬｂと、データ線ＤＬ及び容量電極線ＣＬを有する信号線と、これらに接続される画素ＰＸと、を備える。
【００３８】
画素ＰＸは、第１のスイッチング素子Ｑａと、第２のスイッチング素子Ｑｂ及び第３のスイッチング素子Ｑｃと、第１の液晶容量Ｃｌｃａ及び第２の液晶容量Ｃｌｃｂ並びに減圧キャパシタＣｓｔｄを備える。
【００３９】
第１のスイッチング素子Ｑａ及び第２のスイッチング素子Ｑｂは、それぞれ第１のゲート線ＧＬａ及びデータ線ＤＬに接続され、第３のスイッチング素子Ｑｃは、第２のゲート線ＧＬに接続される。
【００４０】
第１のスイッチング素子Ｑａ及び第２のスイッチング素子Ｑｂは、第１のパネル１００に配設される薄膜トランジスタなどの三端子素子であり、その制御端子は第１のゲート線ＧＬａと接続され、入力端子はデータ線ＤＬと接続され、出力端子は第１の液晶容量Ｃｌｃａ及び第２の液晶容量Ｃｌｃｂと接続される。
【００４１】
また、第３のスイッチング素子Ｑｃも第１のパネル１００に配設される薄膜トランジスタなどの三端子素子であり、制御端子は第２のゲート線ＧＬｂと接続され、入力端子は第２の液晶容量Ｃｌｃｂと接続され、出力端子は減圧キャパシタＣｓｔｄと接続される。
【００４２】
減圧キャパシタＣｓｔｄは、第３のスイッチング素子Ｑｃの出力端子及び容量電極線ＣＬに接続され、第１のパネル１００に配設される容量電極線ＣＬ及び第３のスイッチング素子Ｑｃの出力電極が絶縁体を間に挟んで重なり合う。
【００４３】
以下、図１から図３に基づいて、本発明の一実施形態による液晶表示装置の動作について説明する。
【００４４】
まず、図１を参照すると、信号制御部６００は、外部のグラフィック制御器（図示せず）から入力映像信号Ｒ、Ｇ、Ｂ及びその表示を制御する入力制御信号を受信する。入力映像信号Ｒ、Ｇ、Ｂは、各画素ＰＸの輝度情報を含み、輝度は、所定の数、例えば、１０２４（＝２10）、２５６（＝２8）又は６４（＝２6）個の階調を有する。入力制御信号としては、垂直同期信号Ｖｓｙｎｃ及び水平同期信号Ｈｓｙｎｃ、メインクロック信号ＭＣＬＫ、データイネーブル信号ＤＥなどが挙げられる。
【００４５】
信号制御部６００は、入力映像信号Ｒ、Ｇ、Ｂ及び入力制御信号に基づいて、入力映像信号Ｒ、Ｇ、Ｂを液晶パネル組立体３００の動作条件に合うように適切に処理し、ゲート制御信号ＣＯＮＴ１及びデータ制御信号ＣＯＮＴ２などを生成した後、ゲート制御信号ＣＯＮＴ１をゲート駆動部４００に送出し、データ制御信号ＣＯＮＴ２及び処理済みの映像信号ＤＡＴをデータ駆動部５００に送出する。出力映像信号ＤＡＴはデジタル信号であり、所定の数の値又は階調を有する。
【００４６】
信号制御部６００からのデータ制御信号ＣＯＮＴ２により、データ駆動部５００は、１行の画素ＰＸに対するデジタル映像信号ＤＡＴを受信し、各デジタル映像信号ＤＡＴに対応する階調電圧を選択することにより、デジタル映像信号ＤＡＴをアナログデータ電圧に変換した後、これを当該データ線ＤＬに印加する。このとき、補償制御部９００は、液晶表示装置の位置に応じて補償信号の印加の要否を決定して、補償信号をデータ駆動部５００に供給する。
【００４７】
ゲート駆動部４００は、信号制御部６００からのゲート制御信号ＣＯＮＴ１により、ゲートオン電圧Ｖｏｎをゲート線ＧＬａ、ＧＬｂに印加して、これらのゲート線ＧＬａ、ＧＬｂに接続されるスイッチング素子Ｑａ、Ｑｂ、Ｑｃをターンオンさせる。すると、データ線ＤＬに印加されたデータ電圧Ｖｄは、ターンオンされた第１及び第２のスイッチング素子Ｑａ、Ｑｂを介して当該画素ＰＸに印加される。
【００４８】
以下、特定の画素行、例えば、ｉ行目に焦点を合わせて説明する。
【００４９】
ｉ行目の第１のゲート線ＧＬａに第１のゲート信号が印加され、第２のゲート線ＧＬｂには第２のゲート信号が印加される。第１のゲート信号がゲートオフ電圧Ｖｏｆｆからゲートオン電圧Ｖｏｎへと切り換わると、ここに接続される第１及び第２のスイッチング素子Ｑａ、Ｑｂがターンオンされる。これにより、データ線ＤＬに印加されたデータ電圧Ｖｄは、ターンオンされた第１及び第２のスイッチング素子Ｑａ、Ｑｂを介して第１及び第２の副画素電極ＰＥａ、ＰＥｂに印加される。このとき、第１及び第２の副画素電極ＰＥａ、ＰＥｂに印加されたデータ電圧Ｖｄは、互いに等しい。第１及び第２の液晶キャパシタＣｌｃａ、Ｃｌｃｂは、共通電圧とデータ電圧Ｖｄとの間の差分に見合う分だけ同じ値に充電される。
【００５０】
その後、第１のゲート信号はゲートオン電圧Ｖｏｎからゲートオフ電圧Ｖｏｆｆへと切り換わり、これと同時に、第２のゲート信号がゲートオフ電圧Ｖｏｆｆからゲートオン電圧Ｖｏｎへと切り換わると、第１及び第２のスイッチング素子Ｑａ、Ｑｂはターンオフされ、第３のスイッチング素子Ｑｃがターンオンされる。すると、第２の副画素電極ＰＥｂから第３のスイッチング素子Ｑｃを介して第３のドレイン電極１７５ｃへと電荷が移動する。すると、第２の液晶キャパシタＣｌｃｂの充電電圧は低くなり、減圧キャパシタＣｓｔｄが充電される。第２の液晶キャパシタＣｓｔｂの充電電圧は、減圧キャパシタＣｓｔｄの静電容量に見合う分だけ低くなるため、第２の液晶キャパシタＣｓｔｂの充電電圧は、第１の液晶容量Ｃｓｔａの充電電圧よりも低くなる。
【００５１】
このとき、２つの液晶キャパシタＣｌｃａ、Ｃｌｃａの充電電圧は、互いに異なるガンマ曲線を示し、１画素電圧のガンマ曲線は、これらを合成した曲線となる。正面から見た場合における合成ガンマ曲線は、最適に定められた、正面から見た場合における基準ガンマ曲線と一致させ、側面から見た場合における合成ガンマ曲線は、正面からの基準ガンマ曲線に最大限、近づける。このように映像データを変換することにより、側面からの視認性が向上する。
【００５２】
１水平周期（「１Ｈ」とも呼ばれ、水平同期信号Ｈｓｙｎｃ及びデータイネーブル信号ＤＥの１周期と同じである。）を単位としてこれらの過程を繰り返し行うことにより、全ての画素ＰＸにデータ電圧Ｖｄを印加して１フレームの映像を表示する。
【００５３】
１フレームが終わると、次のフレームが始まり、各画素ＰＸに印加されるデータ電圧Ｖｄの極性が以前のフレームにおける極性とは反対になるようにデータ駆動部５００に印加される反転信号ＲＶＳの状態が制御される。
【００５４】
このように減圧キャパシタＣｓｔｄの静電容量に応じて第１及び第２の液晶容量Ｃｓｔａ、Ｃｓｔｂの充電電圧を調節する。
【００５５】
本発明の実施形態においては、１つの画素に２つの副画素電極が配置されて、２つの液晶容量Ｃｌｃａ、Ｃｌｃａを有すると説明したが、本発明の他の一実施形態による液晶表示装置によれば、１つの画素には、１つの画素電極が配置されて、１つの液晶キャパシタが備えられるのでもよい。
【００５６】
次いで、図４及び図５を図３と結び付けて本発明の一実施形態による液晶パネル組立体について詳細に説明する。
【００５７】
図４は、本発明の一実施形態による液晶表示装置の１画素に対する配置図であり、図５は、図４の液晶表示装置をＶ−Ｖ線に沿って切り取った断面図である。
【００５８】
本発明の実施形態による液晶表示装置は、相対向する第１のパネル１００及び第２のパネル２００と、これらの２枚のパネル１００、２００の間に挟持される液晶層３と、を備える。
【００５９】
まず、第１のパネル１００について説明する。
第１の基板１１０の上にゲート線１２１及び容量電圧線１３１を有する複数のゲート導電体が形成される。ゲート線１２１は、第１のゲート電極１２４ａと、第２のゲート電極１２４ｂ及び第３のゲート電極１２４ｃを備える。
【００６０】
容量電圧線１３１は、所定の容量電圧を伝達し、上下に拡張される第１の容量電極１３７を備える。
【００６１】
ゲート導電体１２１、１３１の上には、ゲート絶縁膜１４０が形成される。ゲート絶縁膜１４０の上には、第１の半導体１５４ａと、第２の半導体１５４ｂ及び第３の半導体１５４ｃが形成される。
【００６２】
半導体１５４ａ、１５４ｂ、１５４ｃは、有機半導体を含むものであり得る。有機半導体は、テトラセン(tetracene) 又はペンタセン(pentacene)の置換基を有する誘導体を含み得るのであり、また、チオフェン環(thiophene ring)の２，５位にて接続された４〜８個のチオフェンを有するオリゴチオフェン(oligothiophene)を含むものであり得る。有機半導体は、ポリチエニレンビニレン(polythienylenevinylene)、ポリ（３−ヘキシルチオフェン）、ポリチオフェン(polythiophene)、フタロシアニン(phthalocyanine)、金属化フタロシアニン(metallized phthalocyanine)又はそのハロゲン化誘導体を含むものであり得る。また、有機半導体は、ペリレンテトラカルボン酸二無水物（ＰＴＣＤＡ；perylenetetracarboxylic dianhydride）、ナフタレンテトラカルボン酸二無水物（ＮＴＣＤＡ；naphthalenetetracarboxylic dianhydride）又はこれらのイミド誘導体を含むものであり得る。有機半導体は、ペリルレン(perylene)又はコロネン(coronene)及びこれらの置換基を有する誘導体を含むものであり得る。
【００６３】
半導体１５４ａ、１５４ｂ、１５４ｃの上には、オーミックコンタクト部材１６３ｂ、１６５ｂが形成される。半導体１５４ａ、１５４ｂ、１５４ｃが酸化物半導体である場合、オーミックコンタクト部材１６３ｂ、１６５ｂは省略可能である。
【００６４】
オーミックコンタクト部材１６３ｂ、１６５ｂ及びゲート絶縁膜１４０の上には、データ線１７１と、データ線１７１と接続される第１のソース電極１７３ａ及び第２のソース電極１７３ｂと、第３のソース電極１７３ｃと、第１のドレイン電極１７５ａと、第２のドレイン電極１７５ｂ及び第３のドレイン電極１７５ｃを有するデータ導電体が形成される。
【００６５】
第１のゲート電極１２４ａと、第１の半導体１５４ａと、第１のソース電極１７３ａ及び第１のドレイン電極１７５ａは、第１の薄膜トランジスタ（ｔｈｉｎ-ｆｉｌｍ-ｔｒａｎｓｉｓｔｏｒ：ＴＦＴ）Ｑａを形成し、第２のゲート電極１２４ｂと、第２の半導体１５４ｂと、第２のソース電極１７３ｂ及び第２のドレイン電極１７５ｂは、第２のスイッチング素子Ｑｂを形成し、第３のゲート電極１２４ｃと、第３の半導体１５４ｃと、第３のソース電極１７３ｃ及び第３のドレイン電極１７５ｃは、第３のスイッチング素子Ｑｃを形成する。第３のドレイン電極１７５ｃの先端部は拡張されて第２の容量電極１７７を形成する。
【００６６】
データ導電体１７１、１７３ａ、１７３ｂ、１７３ｃ、１７５ａ、１７５ｂ、１７５ｃ及び露出された半導体１５４ａ、１５４ｂ、１５４ｃの部分の上には保護膜１８０が形成される。保護膜１８０は、窒化ケイ素や酸化ケイ素などの無機絶縁物により形成される。
保護膜１８０には、第１のドレイン電極１７５ａ及び第２のドレイン電極１７５ｂをそれぞれ露出させる複数のコンタクトホール１８５ａ、１８５ｂが形成される。
【００６７】
保護膜１８０の上には、第１及び第２の副画素電極１９１ａ、１９１ｂを有する画素電極１９１が形成される。画素電極１９１は、酸化インジウムスズ（ＩＴＯ）及び酸化インジウム亜鉛（ＩＺＯ）などの透明物質により形成される。
【００６８】
第１の副画素電極１９１ａ及び第２の副画素電極１９１ｂは、間隙９１を間に挟んで配置され、第１の副画素電極１９１ａは、第２の副画素電極１９１ｂにより取り囲まれる。第２の副画素電極１９１ｂは、複数の第１の切欠部９２、９３ａ、９３ｂを有する。複数の第１の切欠部９２、９３ａ、９３ｂは、複数の第１の突起部である。
【００６９】
第１の副画素電極１９１ａは、第１のコンタクトホール１８５ａを介して第１のドレイン電極１７５ａと接続され、第２の副画素電極１９１ｂは、第２のコンタクトホール１８５ｂを介して第２のドレイン電極１７５ｂと接続され、第１の副画素電極１９１ａ及び第２の副画素電極１９１ｂには、第１のドレイン電極１７５ａ及び第２のドレイン電極１７５ｂからデータ電圧Ｖｄが印加される。
【００７０】
データ電圧Ｖｄが印加される第１の副画素電極１９１ａ及び第２の副画素電極１９１ｂは、共通電極パネル２００の共通電極２７０とともに電場を生成することにより、２つの電極１９１、２７０間の液晶層３の液晶分子の方向を決定する。このようにして決定された液晶分子の方向により、液晶層３を通過する光の輝度が変わる。
【００７１】
第１の容量電極１３７及び第２の容量電極１７７は、ゲート絶縁膜１４０を間に挟んで重なり合って減圧キャパシタＣｓｔｄを形成する。このように、減圧キャパシタＣｓｔｄをゲート導電体及びデータ導電体を用いて形成することにより、減圧キャパシタＣｓｔｄの形成のための追加工程が不要になり、その結果、液晶表示装置の製造工程が簡略化される。
【００７２】
画素電極１９１及び保護膜１８０の上には、下部配向膜（図示せず）が形成される。下部配向膜は、垂直配向膜である。
【００７３】
次いで、第２のパネル２００について説明する。
第２の基板２１０の上に、遮光部材２２０が形成される。遮光部材は、ブラックマトリックス（ｂｌａｃｋ ｍａｔｒｉｘ）とも呼ばれ、光漏れを防ぐ。
【００７４】
遮光部材２２０により限定される領域の第２の基板２１０の上には、複数のカラーフィルタ２３０が形成される。
【００７５】
カラーフィルタ２３０は、赤色、緑色及び青色の三原色などの基本色のうちの１つを表示し、三原色のうちの１つを表示する顔料を含む有機物により形成され得る。ここで開示される実施形態によれば、第２のパネル２００にカラーフィルタ２３０が形成されるが、本発明の他の一実施形態による液晶表示装置は、第１のパネル１００に形成されるカラーフィルタ２３０を備えていてもよい。なお、ここで開示される実施形態によれば、遮光部材２２０が第２のパネル２００に形成されるが、本発明の他の一実施形態による液晶表示装置は、第１のパネル１００に形成される遮光部材２２０を備えていてもよい。
【００７６】
遮光部材２２０及びカラーフィルタ２３０の上には、オーバコート２５０が形成される。オーバコート２５０の上には、共通電極２７０が形成される。共通電極２７０には、複数の第２の切欠部７１、７２、７３、７４ａ、７４ｂが形成される。複数の第２の切欠部７１、７２、７３、７４ａ、７４ｂは、１つの画素電極１９１と向かい合い、切欠部のそれぞれ７１、７２、７３、７４ａ、７４ｂは、画素電極の間隙９１と複数の第１の切欠部９２、９３ａ、９３ｂとの間に配置される。複数の第２の切欠部７１、７２、７３、７４ａ、７４ｂに代えて、同一の配置で、複数の突起部が形成されてもよい。
【００７７】
共通電極２７０の上には、上部配向膜（図示せず）が形成される。上部配向膜は、垂直配向膜である。
【００７８】
液晶層３は、負の誘電率異方性を有し、液晶層３の液晶分子は、電場のない状態でその長軸が２枚のパネル１００、２００の表面に対して垂直になるように配向される。
【００７９】
共通電極２７０に共通電圧を印加し、且つ、画素電極１９１にデータ電圧を印加すると、パネル１００、２００の表面に略垂直な電場（電界）が生成される。液晶分子は、電場に応答して、その長軸が電場の方向に垂直になるように方向を切り換えようとする。以下、画素電極１９１及び共通電極２７０をまとめて電場生成電極と称する。
【００８０】
電場生成電極１９１、２７０の切欠部７１、７２、７３、７４ａ、７４ｂ、９２、９３ａ、９３ｂと、間隙９１及び画素電極１９１の辺は、電場を歪ませて液晶分子の傾斜方向を決定する水平成分を作り出す。電場の水平成分は、切欠部７１、７２、７３、７４ａ、７４ｂ、９２、９３ａ、９３ｂと、間隙９１の辺及び画素電極１９１の辺に略垂直である。
【００８１】
一組の切欠部７１、７２、７３、７４ａ、７４ｂ、９２、９３ａ、９３ｂ、及び画素電極１９１の間隙９１は、画素電極１９１を複数の副領域に分割し、各副領域は、画素電極１９１の主辺と斜角をなす２つの主辺を有する。各副領域上の液晶分子は、ほとんど主辺に垂直な方向に傾くため、傾く方向を数えてみると、略４方向である。このように液晶分子が傾く方向を多様化させると、液晶表示装置の基準視野角が大きくなる。
【００８２】
このように、画素電極１９１に形成される複数の第１の切欠部９２、９３ａ、９３ｂ及び共通電極２７０に形成される複数の第２の切欠部７１、７２、７３、７４ａ、７４ｂは、第１のドメイン分割手段及び第２のドメイン分割手段となる。上述した実施形態による液晶表示装置によれば、第１のドメイン分割手段及び第２のドメイン分割手段は、複数の切欠部であると説明したが、本発明の他の一実施形態による液晶表示装置によれば、第１のドメイン分割手段及び第２のドメイン分割手段は、複数の突起部である。
【００８３】
以下、図６Ａから図６Ｃに基づいて、本発明の一実施形態による液晶表示装置の特徴について説明する。図６Ａ及び図６Ｂは、本発明の一実施形態による液晶表示装置の簡略断面図である。図６Ｃは、本発明の一実施形態による液晶表示装置の位置に応じた特徴を説明するための図面である。
【００８４】
図６Ａを参照すると、本発明の実施形態による液晶表示装置は、第１のパネル１００及び第２のパネル２００と、２枚のパネル１００、２００の間に注入される液晶層３と、を備え、第１の方向ｄに沿って湾曲して曲率半径を有するように曲面化される。第１の方向ｄは、上述したゲート線が伸びる方向と略平行であり、データ線が伸びる方向と略平行である。なお、第１の方向ｄは、ゲート線及びデータ線が伸びる方向と平行な２つの方向である。
【００８５】
図６Ａに示すように、液晶表示装置を曲面化させるとき、図６Ｂに示すように、第２のパネル２００には液晶表示装置の中心に向かう第１の力Ｐ１が加えられ、第１のパネル１００には液晶表示装置の周縁に向かう第２の力Ｐ２が加えられる。このように、第１のパネル１００及び第２のパネル２００に互いに異なる方向に外力が加えられると、第１のパネル１００と第２のパネル２００との間に誤整列が発生する虞がある。
【００８６】
このような第１のパネル１００と第２のパネル２００との間に発生する誤整列の度合いは、図６Ｃに示すように、液晶表示装置の位置に応じて異なる。図６Ｃを参照すると、液晶表示装置は、中心に配置される第１の領域Ｒａと、これより遠ざかる方向へと順に、第１の領域Ｒａの両側に配置される第２の領域Ｒｂと、第２の領域Ｒｂの隣に配置される第３の領域Ｒｃと、第３の領域Ｒｃの隣に配置される第４の領域Ｒｄと、第４の領域Ｒｄの隣に、且つ、液晶表示装置の周縁に配置される第５の領域Ｒｅと、を備える。液晶表示装置が曲面化された場合、第１の領域Ｒａと、第２の領域Ｒｂと、第３の領域Ｒｃと、第４の領域Ｒｄ及び第５の領域Ｒｅに応じて、第１のパネル１００と第２のパネル２００との間に発生する誤整列の度合いは異なってくる。具体的に、液晶表示装置の中心に配置される第１の領域Ｒａには誤整列が発生しないか、或いは、たとえ誤整列が発生したとしても誤整列の度合いが小さく、第１の領域Ｒａから液晶表示装置の周縁に向かって、第２の領域Ｒｂと、第３の領域Ｒｃ及び第４の領域Ｒｄと進むにつれて、誤整列の度合いは大きくなり、液晶表示装置の周縁に配置される第５の領域Ｒｅにおいて誤整列の度合いは再び小さくなる。
【００８７】
このように、液晶表示装置の誤整列の度合いが変わると、画素電極及び共通電極に形成される第１のドメイン分割手段と第２のドメイン分割手段との間の間隔も変わる。
【００８８】
以下、図７Ａ及び図７Ｂに基づき、本発明の実施形態による液晶表示装置の動作について説明する。図７Ａ及び図７Ｂは、本発明の一実施形態による液晶表示装置の動作を説明するための概念図である。
【００８９】
図７Ａは、相対向する両基板１１０、２１０の間に誤整列が発生していない場合について示し、図７Ｂは、相対向する両基板１１０、２１０の間に誤整列が発生している場合について示す。
【００９０】
図７Ａを参照すると、第１の基板１１０の上に形成される、画素電極１９１の第１の切欠部の集りといった第１のドメイン分割手段９０と、第２の基板２１０の上に形成される、共通電極２７０の第２の切欠部の集りといった第２のドメイン分割手段７０とにより、液晶層３には第１のフリンジフィールドＦＦ１が形成される。これにより、液晶分子３１は、第１のフリンジフィールドＦＦに垂直の方向に傾く。このとき、第１のドメイン分割手段９０及び第２のドメイン分割手段７０により形成される第１のフリンジフィールドＦＦの大きさは、一定である。同一平面上にて測定した第１のドメイン分割手段９０と第２のドメイン分割手段７０との間の間隔は、一般に、約２０μｍである。
【００９１】
図７Ｂを参照すると、相対向する両基板１１０、２１０の間に誤整列が発生する場合、第１のドメイン分割手段９０と第２のドメイン分割手段７０との間の間隔が変わる。図７Ｃの模式的な部分平面図に、この様子を示す。図７Ｂ及び図７Ｃを参照すると、第２の領域（図の中央にある第１のドメイン分割手段９０より右側）における第１のドメイン分割手段９０と第２のドメイン分割手段７０との間の最小の間隔は、第１の間隔ｄ１であり、第１の領域（図の中央にある第１のドメイン分割手段９０より左側）における第１のドメイン分割手段９０と第２のドメイン分割手段７０との間の最小の間隔は、第２の間隔ｄ２である。
【００９２】
第１のドメイン分割手段９０と第２のドメイン分割手段７０との間の間隔が、相対的に狭い第２の間隔ｄ２となっている第１の領域には、第２のフリンジフィールドＦＦ１が形成される。そして、第１のドメイン分割手段９０と第２のドメイン分割手段７０との間の間隔が、相対的に広い第１の間隔ｄ１となっている第２の領域には、第３のフリンジフィールドＦＦ２が形成される。
【００９３】
このように、位置に応じてフリンジフィールドの大きさが互いに異なってくると、液晶分子がこれに反応する度合いも互いに異なってくる。例えば、相対的に大きな第２のフリンジフィールドＦＦ１が加えられる領域に位置する第１の液晶分子３１ａは、垂直配向状態から相対的に速く傾くのであり、相対的に小さな第３のフリンジフィールドＦＦ２が加えられる領域に位置する第２の液晶分子３１ｂは、垂直配向状態から相対的に遅く傾くとともに、傾く方向が不規則になる。このように、液晶分子が傾く速度が遅くなり、且つ、傾く方向が不規則的になると、液晶分子の不規則的な挙動が発生するのであり、これは、表示品質の低下につながる。
【００９４】
以下、図８Ａ及び図８Ｂに基づき、本発明の一実施形態による液晶表示装置の相対向する両基板１１０、２１０の間に誤整列が発生した場合、これを補償するための補償制御部９００の動作について説明する。図８Ａは、本発明の一実施形態による液晶表示装置の補償制御部のブロック図であり、図８Ｂは、図８Ａの補償制御部の動作を説明する波形図である。
【００９５】
図８Ａを参照すると、本発明の実施形態による液晶表示装置の補償制御部９００は、補償判断部９００ａと、補償データを保存するルックアップテーブルＬＵＴ９００ｂと、を備える。
【００９６】
補償判断部９００ａは、液晶表示装置の相対向する両基板１１０、２１０の間に誤整列が発生したか否か、及び液晶表示装置の領域による誤整列の度合いが、予め設定された値より大きいか否かに応じて、補償の要否を判断する。
【００９７】
補償判断部９００ａにおいて補償が必要であると判断した場合、図８Ｂに示すように、データ線に目標の階調電圧Ｖ１に補償電圧△Ｖ（Ｖ２−Ｖ１）の値を加えて、目標の階調電圧Ｖ１よりも高い階調電圧Ｖ２を印加し、液晶分子の挙動を規則的に、且つ、速くすることができる。
【００９８】
上述したように、液晶表示装置が曲面化された場合、図６Ｃに示した領域ごとに、すなわち、第１の領域Ｒａ、第２の領域Ｒｂ、第３の領域Ｒｃ、第４の領域Ｒｄ及び第５の領域Ｒｅのそれぞれに応じて、第１のパネル１００と第２のパネル２００との間に発生する誤整列の度合いは異なってくる。
【００９９】
このため、補償判断部９００ａは、補償判断の対象となる画素が、第１の領域Ｒａ、第２の領域Ｒｂ、第３の領域Ｒｃ、第４の領域Ｒｄ及び第５の領域Ｒｅのうちのどの領域に位置するかに応じて補償電圧の要否を判断する。
【０１００】
補償判断部９００ａが補償電圧の要否、及び補償電圧について判断すると、補償判断部９００ａは、ルックアップテーブルＬＵＴ９００ｂから補償電圧を読み込んで、データ駆動部５００に入力する。
【０１０１】
補償電圧△Ｖは、画素電極１９１の第１のドメイン分割手段９０と第２のドメイン分割手段７０との間の間隔に応じて異なってくる。誤整列が発生していない場合の間隔ｄ０（図７Ａ）と比較して、第１のドメイン分割手段９０と第２のドメイン分割手段７０との間の第１の間隔ｄ１が、約５μｍ、さらに広くなる度に、補償電圧△Ｖは約０．３Ｖ〜約０．４Ｖ大きくなる。
【０１０２】
より具体的な一実施形態において、第１のドメイン分割手段９０と第２のドメイン分割手段７０との間の間隔が約２０μｍ、例えば１５〜２２μｍである場合、入力される補償電圧△Ｖは約１．５Ｖ、例えば１．４〜１．６Ｖの範囲内の所定の値とすることができ、第１のドメイン分割手段９０と第２のドメイン分割手段７０との間の第１の間隔ｄ１が約５μｍさらに広くなって約２５μｍ、例えば２３〜２７μｍの領域に位置する画素に加えられる補償電圧△Ｖは約１．８Ｖ〜１．９Ｖとすることができ、第１のドメイン分割手段９０と第２のドメイン分割手段７０との間の第１の間隔ｄ１が約１０μｍさらに広くなって約３０μｍ、例えば２８〜３２μｍの領域に位置する画素に加えられる補償電圧△Ｖは約２．１Ｖ〜２．２Ｖとすることができ、第１のドメイン分割手段９０と第２のドメイン分割手段７０との間の第１の間隔ｄ１が約１５μｍさらに広くなって約３５μｍ、例えば３３〜３７μｍの領域に位置する画素に加えられる補償電圧△Ｖは約２．４Ｖ〜２．５Ｖとすることができる。また、一例において、補償電圧△Ｖ、間隔が２０μｍである場合に１．５Ｖ、間隔が２５μｍである場合に１．８Ｖ〜１．９Ｖの所定値、間隔が３０μｍである場合に２．１Ｖ〜２．２Ｖの所定値、間隔が３５μｍである場合に２．４Ｖ〜２．５Ｖの所定値とし、これらの中間の間隔については、補間法（特には、比例配分）により決定することができる。さらには、補償電圧△Ｖについて、液晶パネル組立体の特性に応じて、この一例の値を、全て、１０〜３０％の範囲の所定の割合で増加または減小させることができる。
【０１０３】
以下、図９Ａ及び図９Ｂに基づき、本発明の実験例について説明する。図９Ａ及び図９Ｂは、本発明の実験例によるグラフである。
【０１０４】
本発明の実験例においては、第１のドメイン分割手段９０と第２のドメイン分割手段７０との間の間隔を約２３μｍ、２８μｍ及び３４μｍに形成した後、画素に加えられる補償電圧△Ｖによる応答時間を測定してグラフにて示した。図９Ａは、補償電圧の範囲が１Ｖから約３Ｖまでであることを示すグラフであり、図９Ｂは、図９Ａの一部を拡大して示すグラフである。
【０１０５】
まず、図９Ａを参照すると、第１のドメイン分割手段９０と第２のドメイン分割手段７０との間の間隔が広くなればなるほど応答時間は遅くなり、これにより、応答速度は早くなる。しかしながら、補償電圧が大きくなると、応答時間差は減った。
【０１０６】
図９Ｂを参照すると、第１のドメイン分割手段９０と第２のドメイン分割手段７０との間の間隔が約２３μｍである場合、補償電圧が約１．８Ｖよりも大きければ、応答時間は約２５ｍｓ以下となる。垂直配向方式の液晶表示装置に一般的に求められる応答時間は、約２５ｍｓ以下である。第１のドメイン分割手段９０と第２のドメイン分割手段７０との間の間隔が約２８μｍである場合、補償電圧が約２．１Ｖよりも大きければ、応答時間は約２５ｍｓ以下となる。また、第１のドメイン分割手段９０と第２のドメイン分割手段７０との間の間隔が約３４μｍである場合、補償電圧が約２．４Ｖよりも大きければ、応答時間は約２５ｍｓ以下となる。
【０１０７】
上述したように、本発明の実施形態による液晶表示装置の補償制御部９００が入力する補償電圧△Ｖは、第１のドメイン分割手段９０と第２のドメイン分割手段７０との間の間隔が約２０μｍである領域に位置する画素の場合に約１．５Ｖであり、第１のドメイン分割手段９０と第２のドメイン分割手段７０との間の第１の間隔ｄ１が約２５μｍである領域に位置する画素の場合に約１．８Ｖ〜１．９Ｖであり、第１のドメイン分割手段９０と第２のドメイン分割手段７０との間の第１の間隔ｄ１が約３０μｍである領域に位置する画素の場合に約２．１Ｖ〜２．２Ｖであり、第１のドメイン分割手段９０と第２のドメイン分割手段７０との間の第１の間隔ｄ１が約３５μｍである領域に位置する画素の場合に約２．４Ｖ〜２．５Ｖである。
【０１０８】
このように、本発明の実施形態による液晶表示装置の補償制御部９００を用いて補償電圧Ｖ２を印加すると、垂直配向方式の液晶表示装置に一般的に求められる応答時間である約２５ｍｓ以下の応答時間を有することが分かる。
【０１０９】
以下、図８Ａ及び図８Ｂと、図１０Ａ及び図１０Ｂとを結び付けて、本発明の他の一実施形態による液晶表示装置の補償制御部９００の動作について説明する。図１０Ａは、本発明の他の一実施形態による液晶表示装置の補償制御部のブロック図であり、図１０Ｂは、図１０Ａの補償制御部の動作を説明するグラフである。
【０１１０】
図１０Ａを参照すると、本発明の実施形態による液晶表示装置の補償制御部９００は、補償判断部９００ａと、補償データを保存するルックアップテーブルＬＵＴ９００ｂと、補償データ計算部９００ｃと、を備える。
【０１１１】
補償判断部９００ａは、液晶表示装置の相対向する両基板１１０、２１０の間に誤整列が発生したか否か及び液晶表示装置の領域による誤整列の度合いに応じて補償の要否を判断する。
【０１１２】
補償判断部９００ａにおいて補償が必要であると判断した場合、図８Ｂに示すように、データ線に、目標の階調電圧Ｖ１に補償電圧△Ｖを加えた電圧Ｖ２を印加し、液晶分子が規則的に、且つ、速く動くようにする。
【０１１３】
図１０Ａ及び図１０Ｂに示す実施形態による液晶表示装置の補償制御部９００は、図８Ａ及び図８Ｂに示す実施形態による液晶表示装置の補償制御部９００とは異なり、計算部９００ｃを備える。これについて、図１０Ｂに基づいて説明する。
【０１１４】
本発明の実施形態による液晶表示装置の補償制御部９００の計算部９００ｃは、ルックアップテーブルＬＵＴ９００ｂに保存されている第１のドメイン分割手段９０と第２のドメイン分割手段７０との間の２つの間隔ｘ１、ｘ２による２つの補償電圧ｙ１、ｙ２を用いて１次関数値を計算し、この関数により入力された画素の第１のドメイン分割手段９０と第２のドメイン分割手段７０との間の間隔ｘｐによる補償電圧ｙｐを計算する。
【０１１５】
このような計算によれば、第１のドメイン分割手段９０と第２のドメイン分割手段７０との間の間隔がルックアップテーブルＬＵＴ９００ｂに保存されていない値を有する場合であっても、入力される補償電圧を決定することができる。
【０１１６】
ルックアップテーブルＬＵＴ９００ｂに保存されている補償電圧は、第１のドメイン分割手段９０と第２のドメイン分割手段７０との間の間隔に応じて異なってくる。第１のドメイン分割手段９０と第２のドメイン分割手段７０との間の間隔が約２０μｍである場合に入力される補償電圧Ｖ２は約１．５Ｖであり、第１のドメイン分割手段９０と第２のドメイン分割手段７０との間の第１の間隔ｄ１が約５μｍ広くなって約２５μｍである領域に位置する画素に加えられる補償電圧Ｖ２は約１．８Ｖ〜１．９Ｖであり、第１のドメイン分割手段９０と第２のドメイン分割手段７０との間の第１の間隔ｄ１が約１０μｍ広くなって約３０μｍの領域に位置する画素に加えられる補償電圧Ｖ２は約２．１Ｖ〜２．２Ｖであり、第１のドメイン分割手段９０と第２のドメイン分割手段７０との間の第１の間隔ｄ１が約１５μｍ広くなって約３５μｍの領域に位置する画素に加えられる補償電圧Ｖ２は約２．４Ｖ〜２．５Ｖである。
【０１１７】
以下、図１１及び図１２に基づき、本発明の他の一実施形態による液晶表示装置について説明する。図１１は、本発明の他の一実施形態による液晶表示装置の１画素に対する配置図であり、図１２は、図１１の液晶表示装置をＸＩＩ−ＸＩＩ線に沿って切り取った断面図である。
【０１１８】
図１１及び図１２を参照すると、本発明の他の一実施形態による液晶表示装置は、相対向する第１のパネル１００及び上部パネル２００と、２枚のパネル１００、２００の間に注入される液晶層３と、を備える。
【０１１９】
まず、第１のパネル１００について説明する。
第１の基板１１０の上にゲート線１２１ａ、１２１ｂ及び容量電圧線１３１を有する複数のゲート導電体が形成される。ゲート線１２１ａ、１２１ｂは、第１のゲート電極１２４ａと、第２のゲート電極１２４ｂ及び第３のゲート電極１２４ｃを備える。
【０１２０】
容量電圧線１３１は、一定の容量電圧を伝達し、下に拡張された第１の容量電極１３７を備える。
【０１２１】
ゲート導電体１２１、１３１の上には、ゲート絶縁膜１４０が形成される。ゲート絶縁膜１４０の上には、第１の半導体１５４ａと、第２の半導体１５４ｂ及び第３の半導体１５４ｃが形成される。
【０１２２】
半導体１５４ａ、１５４ｂ、１５４ｃは、有機半導体を含む。半導体１５４ａ、１５４ｂ、１５４ｃの上には、オーミックコンタクト部材１６５ａが形成される。半導体１５４ａ、１５４ｂ、１５４ｃが酸化物半導体である場合、オーミックコンタクト部材１６５ａは省略可能である。
【０１２３】
オーミックコンタクト部材１６５ａ及びゲート絶縁膜１４０の上には、データ線１７１と、データ線１７１と接続される第１のソース電極１７３ａ及び第２のソース電極１７３ｂと、第３のソース電極１７３ｃと、第１のドレイン電極１７５ａと、第２のドレイン電極１７５ｂ及び第３のドレイン電極１７５ｃを有するデータ導電体が形成される。
【０１２４】
第１のゲート電極１２４ａと、第１の半導体１５４ａと、第１のソース電極１７３ａ及び第１のドレイン電極１７５ａは、第１の薄膜トランジスタ（ＴＦＴ）Ｑａを形成し、第２のゲート電極１２４ｂと、第２の半導体１５４ｂと、第２のソース電極１７３ｂ及び第２のドレイン電極１７５ｂは、第２のスイッチング素子Ｑｂを形成し、第３のゲート電極１２４ｃと、第３の半導体１５４ｃと、第３のソース電極１７３ｃ及び第３のドレイン電極１７５ｃは、第３のスイッチング素子Ｑｃを形成する。第３のドレイン電極１７５ｃの先端部は拡張されて第２の容量電極１７７を形成する。
【０１２５】
データ導電体１７１、１７３ａ、１７３ｂ、１７３ｃ、１７５ａ、１７５ｂ、１７５ｃ及び露出された半導体１５４ａ、１５４ｂ、１５４ｃ部分の上には、保護膜１８０が形成される。保護膜１８０は、窒化ケイ素や酸化ケイ素などの無機絶縁物により形成される。
【０１２６】
保護膜１８０には、第１のドレイン電極１７５ａ及び第２のドレイン電極１７５ｂをそれぞれ露出させる複数のコンタクトホール１８５ａ、１８５ｂが形成される。
【０１２７】
保護膜１８０の上には、第１及び第２の副画素電極１９１ａ、１９１ｂを有する画素電極１９１が形成される。画素電極１９１は、酸化インジウムスズ（ＩＴＯ）及び酸化インジウム亜鉛（ＩＺＯ）などの透明物質により形成される。
【０１２８】
第１の副画素電極１９１ａは、第１のコンタクトホール１８５ａを介して第１のドレイン電極１７５ａと物理的・電気的に接続され、第２の副画素電極１９１ｂは、第２のコンタクトホール１８５ｂを介して第２のドレイン電極１７５ｂと物理的・電気的に接続される。
【０１２９】
第１の副画素電極１９１ａ及び第２の副画素電極１９１ｂは、ゲート線１２１ａ、１２１ｂを間に挟んで互いに分離されて、ゲート線１２１ａ、１２１ｂを中心として画素領域の上及び下に配置されて列方向に隣り合う。第１の副画素電極１９１ａ及び第２の副画素電極１９１ｂは、ひし形の形状を有する板状部分１９３と、板状部分１９３から互いに異なる４方向に延出する複数の枝電極１９４と、を備える。
【０１３０】
複数の枝電極１９４は、斜め右上方に伸びる部分と、斜め右下方に伸びる部分と、斜め右上方に伸びる部分及び斜め左下方に伸びる部分を備える。このように、複数の枝電極１９４が伸びる方向が互いに異なる部分において、液晶層３の液晶分子が傾く方向が互いに異なってくる。したがって、液晶分子が傾く方向が互いに異なる四つのドメインが液晶層３に形成される。このように、液晶分子が傾く方向を多様化させると、液晶表示装置の基準視野角が大きくなる。
【０１３１】
第１のゲート電極１２４ａと、第１の半導体１５４ａと、第１のソース電極１７３ａ及び第１のドレイン電極１７５ａは第１のスイッチング素子Ｑａを形成し、第２のゲート電極１２４ｂと、第２の半導体１５４ｂと、第２のソース電極１７３ｂ及び第２のドレイン電極１７５ｂは第２のスイッチング素子Ｑｂを形成し、第３のゲート電極１２４ｃと、第３の半導体１５４ｃと、第３のソース電極１７３ｃ及び第３のドレイン電極１７５ｃは第３のスイッチング素子Ｑｃを形成する。
【０１３２】
次いで、上部パネル２００について説明する。
第２の基板２１０の上に遮光部材２２０が配置される。遮光部材２２０はブラックマトリックスとも呼ばれ、光漏れを防ぐ。第２の基板２１０及び遮光部材２２０の上には、複数のカラーフィルタ２３０が配置される。カラーフィルタ２３０の上には、オーバコート２５０が配置される。オーバコート２５０は、カラーフィルタ２３０及び遮光部材２２０が浮き上がることを防ぎ、カラーフィルタ２３０から流入する溶剤などの有機物による液晶層３の汚れを抑えて画面の駆動時に招かれる残像などの不良を防ぎ、省略可能である。
【０１３３】
オーバコート２５０の上には、共通電極２７０が配置される。
【０１３４】
ここで開示される実施形態による液晶表示装置において、遮光部材２２０及びカラーフィルタ２３０は上部パネル２００に配置されるが、本発明の他の一実施形態による液晶表示装置によれば、遮光部材２２０及びカラーフィルタ２３０は第１のパネル１００に配置される。この場合、第１のパネル１００の保護膜１８０の代わりにカラーフィルタ２３０が配置される。
【０１３５】
共通電極２７０は、第１の副画素電極１９１ａ及び第２の副画素電極１９１ｂの各基本領域に対応する位置に形成される十字状の第３の切欠部２７１を有する。共通電極２７０の第３の切欠部２７１は、平面視において、十字状を有する。
【０１３６】
液晶表示装置を上から眺めるとき、共通電極２７０の十字状の第３の切欠部２７１及び画素電極１９１ａ、１９１ｂの複数の枝電極１９４により、第１の副画素電極１９１ａ及び第２の副画素電極１９１ｂの各部領域は、四つの領域に分割される。
【０１３７】
画素電極１９１ａ、１９１ｂ及び共通電極２７０は、図１３Ａに基づいて後述する基本領域を少なくとも複数備える。
【０１３８】
２枚のパネル１００、２００の間に挟持される液晶層３は、負の誘電率異方性を有する複数の液晶分子を含む。液晶分子は、液晶層３に電場が生成されていない状態でその長軸が２枚のパネル１００、２００の表面に対して略垂直になるように配列される。
【０１３９】
第１の副画素電極１９１ａ及び共通電極２７０は、これらの間の液晶層３とともに第１の液晶容量Ｃｌｃａを形成し、第２の副画素電極１９１ｂ及び共通電極２７０は、これらの間の液晶層３とともに第２の液晶容量Ｃｌｃｂを形成する。
【０１４０】
第１の副画素電極１９１ａ及び第２の副画素電極１９１ｂに印加される電圧及び共通電極２７０に印加される共通電圧により、液晶層３に電場が加えられ、電場の強さに応じて液晶層３の液晶分子の方向を決定する。このように液晶分子の方向に応じて液晶層３を通過する光の輝度が変わる。
【０１４１】
以下、図１３Ａ及び図１３Ｂに基づき、本発明の実施形態による液晶表示装置の画素領域の基本領域について説明する。図１３Ａ及び図１３Ｂは、本発明の他の一実施形態による液晶表示装置の画素領域の基本領域を示す配置図である。図１３Ａは、相対向する両基板１１０、２１０の間に誤整列が発生しないことを示し、図１３Ｂは、相対向する両基板１１０、２１０の間に誤整列が発生することを示す。
【０１４２】
図１３Ａを参照すると、本発明の実施形態による液晶表示装置の電場生成電極の基本領域は、全体的に四角形状を有する。
【０１４３】
基本領域は、ひし形の形状を有する板状部分１９３及び板状部分１９３から互いに異なる４方向に延出する複数の枝電極１９４を有する画素電極１９１と、これと向かい合う共通電極２７０の第３の切欠部２７１と、を備える。
【０１４４】
画素電極１９１の板状部分１９３の中心部分は、共通電極２７０に形成される十字状の第３の切欠部２７１の中心部分と重なり合う。
【０１４５】
画素電極１９１の複数の枝電極１９４は、斜め右上方に伸びる部分と、斜め右下方に伸びる部分と、斜め右上方に伸びる部分及び斜め左下方に伸びる部分を備える。
【０１４６】
上述したように、電場生成電極の基本領域は、画素電極１９１の複数の枝電極１９４及び共通電極２７０の十字状の第３の切欠部２７１により四つの副領域に分割される。各部領域において液晶分子の方向子が傾く方向、より具体的に、液晶分子の方向子の方向である方位角は、互いに異なる。
【０１４７】
液晶分子を傾ける液晶分子に加えられるフリンジフィールドの大きさは、共通電極２７０の十字状の第３の切欠部２７１の中心部分から画素電極１９１の板状部分１９３の周縁までの間の第３の間隔ｄ３に応じて異なってくる。
【０１４８】
共通電極２７０の十字状の第３の切欠部２７１の中心部分から画素電極１９１の板状部分１９３の周縁までの間の第３の間隔ｄ３が狭くなると、フリンジフィールドの大きさは大きくなり、第３の間隔ｄ３が広くなると、フリンジフィールドの大きさは小さくなる。
【０１４９】
図１３Ｂを参照すると、相対向する両基板１１０、２１０の間に誤整列が発生する場合、共通電極２７０の十字状の第３の切欠部２７１の中心部分から画素電極１９１の板状部分１９３の周縁までの間の第３の間隔ｄ３は広くなる。
【０１５０】
このように、共通電極２７０の十字状の第３の切欠部２７１の中心部分から画素電極１９１の板状部分１９３の周縁までの間の第３の間隔ｄ３が広くなると、垂直配向状態で相対的に遅く傾き、傾く方向が不規則的になる。このように、液晶分子が傾く速度が遅くなり、且つ、傾く方向が不規則的になると、液晶分子の不規則的な挙動が発生し、これは、表示品質の低下につながる。
【０１５１】
共通電極２７０の十字状の第３の切欠部２７１の中心部分から画素電極１９１の板状部分１９３の周縁までの間の第３の間隔ｄ３に応じて、液晶表示装置の補償制御部９００からデータ駆動部５００へと入力される補償電圧は異なってくる。
【０１５２】
誤整列が発生していない場合と比較して、共通電極２７０の十字状の第３の切欠部２７１の中心部分から画素電極１９１の板状部分１９３の周縁までの間の第３の間隔ｄ３が約２５μｍである領域に位置する画素に加えられる補償電圧△Ｖは約１．８Ｖ〜１．９Ｖであり、共通電極２７０の十字状の第３の切欠部２７１の中心部分から画素電極１９１の板状部分１９３の周縁までの間の第３の間隔ｄ３が約３０μｍである領域に位置する画素に加えられる補償電圧△Ｖは約２．１Ｖ〜２．２Ｖであり、共通電極２７０の十字状の第３の切欠部２７１の中心部分から画素電極１９１の板状部分１９３の周縁までの間の第３の間隔ｄ３が約３５μｍである領域に位置する画素に加えられる補償電圧△Ｖは約２．４Ｖ〜２．５Ｖである。
【０１５３】
本発明の実施形態による液晶表示装置の補償制御部９００は、上記の図８Ａ及び図１０Ａに示す補償制御部９００であり、その動作は、上述した通りである。
【０１５４】
以下、図１４から図１８に基づき、本発明の他の一実施形態による液晶表示装置について説明する。図１４は、本発明の一実施形態による液晶表示装置の１画素が備える２つの副画素を示す図であり、図１５から図１８は、本発明の実施形態による液晶表示装置の１画素に対する等価回路図である。
【０１５５】
図１４を参照すると、本発明の実施形態による液晶表示装置の１画素ＰＸは、第１の副画素ＰＸａ及び第２の副画素ＰＸｂを備える。第１の副画素ＰＸａ及び第２の副画素ＰＸｂは、１つの入力映像信号に対して互いに異なるガンマ曲線による映像を表示するか、或いは、同じガンマ曲線による映像を表示する。すなわち、１画素ＰＸの第１の副画素ＰＸａ及び第２の副画素ＰＸｂは、１つの入力映像信号に対して、側面視認性の向上のために互いに異なる輝度の映像を表示する。第１の副画素ＰＸａ及び第２の副画素ＰＸｂの面積は、互いに同一又は異なる。
【０１５６】
このように、第１の副画素ＰＸａ及び第２の副画素ＰＸｂを備える画素ＰＸは、互いに異なる輝度の映像を表示するために、図１５から図１８に示すように、様々な回路構造及び配置を有する。
【０１５７】
図１５を参照すると、本発明の一実施形態による液晶表示装置は、ゲート線１２１と、データ線１７１と、基準電圧を伝達する基準電圧線１７８などの信号線及びこれらに接続される画素ＰＸを備える。
【０１５８】
各画素ＰＸは、第１及び第２の副画素ＰＸａ、ＰＸｂを備える。第１の副画素ＰＸａは、第１のスイッチング素子Ｑａ及び第１の液晶容量Ｃｌｃａを備え、第２の副画素ＰＸｂは、第２及び第３のスイッチング素子Ｑａ、Ｑｂ、Ｑｃと、第２の液晶容量Ｃｌｃａ、Ｃｌｃｂと、を備える。
【０１５９】
第１のスイッチング素子Ｑａ及び第２のスイッチング素子Ｑｂは、それぞれゲート線１２１及びデータ線１７１に接続され、第３のスイッチング素子Ｑｃは、第２のスイッチング素子Ｑｂの出力端子及び基準電圧線１７８に接続される。
【０１６０】
第１のスイッチング素子Ｑａの出力端子は第１の液晶容量Ｃｌｃａに接続され、第２のスイッチング素子Ｑｂの出力端子は第２の液晶容量Ｃｌｃｂ及び第３のスイッチング素子Ｑｃの入力端子に接続される。第３のスイッチング素子Ｑｃの制御端子はゲート線１２１と接続され、入力端子は第２の液晶容量Ｃｌｃｂと接続され、出力端子は基準電圧線１７８に接続される。
【０１６１】
図１５に示す画素ＰＸの動作について説明すると、まず、ゲート線１２１にゲートオン電圧Ｖｏｎが印加されると、ここに接続された第１のスイッチング素子Ｑａと、第２のスイッチング素子Ｑｂ及び第３のスイッチング素子Ｑｃがターンオンされる。これにより、データ線１７１に印加されたデータ電圧は、ターンオンされた第１のスイッチング素子Ｑａ及び第２のスイッチング素子Ｑｂを介してそれぞれ第１の液晶容量Ｃｌｃａ及び第２の液晶容量Ｃｌｃｂに印加されて、第１の液晶容量Ｃｌｃａ及び第２の液晶容量Ｃｌｃｂは、データ電圧Ｖｄ及び共通電圧Ｖｃｏｍ間の差分に見合う分だけ充電される。このとき、第１の液晶容量Ｃｌｃａ及び第２の液晶容量Ｃｌｃｂには、第１及び第２のスイッチング素子Ｑａ、Ｑｂを介して同じデータ電圧Ｖｄが伝達されるが、第２の液晶容量Ｃｌｃｂの充電電圧は、第３のスイッチング素子Ｑｃにより分圧される。このため、第２の液晶容量Ｃｌｃｂの充電電圧は、第１の液晶容量Ｃｌｃａの充電電圧よりも小さくなるため、２つの副画素ＰＸａ、ＰＸｂの輝度が変わる。したがって、第１の液晶容量Ｃｌｃａに充電される電圧及び第２の液晶容量Ｃｌｃｂの充電される電圧を適切に調節すると、側面から眺める映像を正面から眺める映像に最大限に近づけることができ、これにより、側面視認性が改善される。
【０１６２】
図１６から図１８は、それぞれ本発明の一実施形態による液晶表示装置の１画素に対する等価回路図であり、前記実施形態に加えて、第１の副画素ＰＸａ及び第２の副画素ＰＸｂを備える画素ＰＸの様々な回路構造を示す。
【０１６３】
図１６を参照すると、本発明の一実施形態による液晶表示装置は、第１のデータ線１７１ａ及び第２のデータ線１７１ｂ並びにゲート線１２１を有する信号線と、これらに接続される画素ＰＸと、を備える。各画素ＰＸは、第１及び第２の副画素ＰＸａ、ＰＸｂを備える。
【０１６４】
第１の副画素ＰＸａは、第１のスイッチング素子Ｑａと、第１の液晶容量Ｃｌｃａ及び第１のストレージキャパシタＣｓｔａを備え、第２の副画素ＰＸｂは、第２のスイッチング素子Ｑｂと、第２の液晶容量Ｃｌｃｂ及び第２のストレージキャパシタＣｓｔｂを備える。第１のスイッチング素子Ｑａは、ゲート線１２１に接続された制御端子及び第１のデータ線１７１ａに接続された入力端子を備える。
【０１６５】
第１のスイッチング素子Ｑａの出力端子は、第１の液晶容量Ｃｌｃａ及び第１のストレージキャパシタＣｓｔａと接続される。第２のスイッチング素子Ｑｂは、ゲート線１２１に接続された制御端子及び第２のデータ線１７１ｂに接続された入力端子を備える。
【０１６６】
第２のスイッチング素子Ｑｂの出力端子は、第２の液晶容量Ｃｌｃｂ及び第２のストレージキャパシタＣｓｔｂと接続される。第１の液晶容量Ｃｌｃａ及び第２の液晶容量Ｃｌｃｂには、互いに異なるデータ線１７１ａ、１７１ｂに接続された第１及び第２のスイッチング素子Ｑａ、Ｑｂを介して１つの入力映像信号ＩＤＡＴに対する互いに異なるデータ電圧Ｖｄがそれぞれ印加される。
【０１６７】
次いで、図１７を参照すると、本発明の実施形態による液晶表示装置は、データ線１７１と第１及び第２のゲート線１２１ａ、１２１ｂを有する信号線と、これらに接続された画素ＰＸと、を備える。各画素ＰＸは第１の及び第２の副画素ＰＸａ、ＰＸｂを含む。
【０１６８】
第１の副画素ＰＸａが有する第１のスイッチング素子Ｑａは、第１のゲート線１２１ａに接続された制御端子及びデータ線１７１に接続された入力端子を備える。第１のスイッチング素子Ｑａの出力端子は、第１の液晶容量Ｃｌｃａ及び第１のストレージキャパシタＣｓｔａと接続される。
【０１６９】
第２のスイッチング素子Ｑｂは、第２のゲート線１２１ｂに接続された制御端子及びデータ線１７１に接続された入力端子を備える。第２のスイッチング素子Ｑｂの出力端子は、第２の液晶容量Ｃｌｃｂ及び第２のストレージキャパシタＣｓｔｂと接続される。
【０１７０】
第１の液晶容量Ｃｌｃａ及び第２の液晶容量Ｃｌｃｂには、互いに異なる第１のゲート線１２１ａ及び第２のゲート線１２１ｂに接続される第１のスイッチング素子Ｑａ及び第２のスイッチング素子Ｑｂを介してデータ線１７１が伝達する１つの入力映像信号ＩＤＡＴに対する互いに異なるデータ電圧Ｖｄが他の時間に印加される。
【０１７１】
次いで、図１８を参照すると、本発明の実施形態による液晶表示装置は、データ線１７１及びゲート線１２１を有する信号線と、これらに接続された画素ＰＸと、を備える。各画素ＰＸは、第１の副画素ＰＸａ及び第２の副画素ＰＸｂと、２つの副画素ＰＸａ、ＰＸｂの間に接続される結合キャパシタＣｃｐと、を備える。
【０１７２】
第１の副画素ＰＸａは、ゲート線１２１及びデータ線１７１に接続されるスイッチング素子Ｑと、ここに接続された第１の液晶容量Ｃｌｃａ及び第１のストレージキャパシタＣｓｔａを備え、第２の副画素ＰＸｂは、結合キャパシタＣｃｐと接続される第２の液晶容量Ｃｌｃｂを備える。
【０１７３】
スイッチング素子Ｑの制御端子はゲート線１２１と接続され、入力端子はデータ線１７１と接続され、出力端子は、第１の液晶容量Ｃｌｃａと、第１のストレージキャパシタＣｓｔａ及び結合キャパシタＣｃｐと接続される。スイッチング素子Ｑは、ゲート線１２１からのゲート信号によりデータ線１７１のデータ電圧Ｖｄを第１の液晶容量Ｃｌｃａ及び結合キャパシタＣｃｐに伝達し、結合キャパシタＣｃｐは、この電圧を変えて第２の液晶容量Ｃｌｃｂに伝達する。結合キャパシタＣｃｐにより第２の液晶容量Ｃｌｃｂに充電された電圧Ｖｂは、第１の液晶容量Ｃｌｃａに充電された電圧Ｖａに比べて常に小さい。このため、結合キャパシタＣｃｐの静電容量を適切に調節すると、第１の液晶容量Ｃｌｃａが充電電圧Ｖａ及び第２の液晶容量Ｃｌｃｂの充電電圧Ｖｂ間の比を調節して側面視認性を向上させる。
【０１７４】
このような様々な実施形態による液晶表示装置においても、画素ＰＸが備える第１の液晶容量Ｃｌｃａ及び第２の液晶容量Ｃｌｃｂの１つの端子を形成する第１の副画素電極及び第２の副画素電極は、それぞれ上述した様々な実施形態による画素電極１９１と同じ形状及び機能を有し、各部画素ＰＸａ、ＰＸｂの共通電極２７０も上述した様々な実施形態による共通電極２７０と同じ形状及び機能を有する。
【０１７５】
また、上述した実施形態による液晶表示装置によれば、１つの画素領域を２つの領域に分割して１つの画素に２つの液晶容量が配設されると説明したが、本発明はこれに何ら限定されるものではなく、１つの画素に１つの液晶容量が配設される場合にも適用可能である。
【０１７６】
以上述べたように、本発明の実施形態による液晶表示装置によれば、ドメイン分割手段間の間隔に応じて補償電圧を印加することにより、たとえ液晶表示装置の位置に応じてドメイン分割手段間の間隔が変わる場合であっても、液晶分子の応答速度を高め、液晶分子が傾く方向を調節することにより、表示品質の低下を防ぐ。
【符号の説明】
【０１７７】
１００、２００:パネル
１１０、１２０:基板
１２１、１２１ａ、１２１ｂ、ＧＬａ、ＧＬｂ:ゲート線
１２４ａ、１２４ｂ、１２４ｃ:ゲート電極
１５４ａ、１５４ｂ、１５４ｃ:半導体
１７１、１７１ａ、１７１ｂ、ＤＬ:データ線
１７３ａ、１７３ｂ、１７３ｃ:ソース電極
１７５ａ、１７５ｂ、１７５ｃ:ドレイン電極
１８５ａ、１８５ｂ:コンタクトホール
１９１、ＰＥ:画素電極
１９１ａ、１９１ｂ、ＰＥａ、ＰＥｂ:副画素電極
２２０:遮光部材
２３０:カラーフィルタ
２７０:共通電極
【図１】
2016212408.tif 000003
【図２】
2016212408.tif 000004
【図３】
2016212408.tif 000005
【図４】
2016212408.tif 000006
【図５】
2016212408.tif 000007
【図６Ａ】
2016212408.tif 000008
【図６Ｂ】
2016212408.tif 000009
【図６Ｃ】
2016212408.tif 000010
【図７Ａ】
2016212408.tif 000011
【図７Ｂ】
2016212408.tif 000012
【図７Ｃ】
2016212408.tif 000013
【図８Ａ】
2016212408.tif 000014
【図８Ｂ】
2016212408.tif 000015
【図９Ａ】
2016212408.tif 000016
【図９Ｂ】
2016212408.tif 000017
【図１０Ａ】
2016212408.tif 000018
【図１０Ｂ】
2016212408.tif 000019
【図１１】
2016212408.tif 000020
【図１２】
2016212408.tif 000021
【図１３Ａ】
2016212408.tif 000022
【図１３Ｂ】
2016212408.tif 000023
【図１４】
2016212408.tif 000024
【図１５】
2016212408.tif 000025
【図１６】
2016212408.tif 000026
【図１７】
2016212408.tif 000027
【図１８】
2016212408.tif 000028